(57)【要約】【課題】ＴＶ受信装置に対する操作負担を低減すると共に、情報処理装置と連携した良好な画質の画像をＴＶ受信装置に表示させることができる情報処理装置を提供する。【解決手段】本発明に係る情報処理装置は、ＴＶ受信装置と接続される情報処理装置において、ディスプレイ装置と、デジタル画像インターフェースに対応するデジタル画像出力端子を含む複数の画像出力端子と、複数の画像出力端子の中から、ＴＶ受信装置に対して出力する画像出力端子を選択する画像出力選択部と、ディスプレイ装置に表示される画像の画像データとＴＶ受信装置を制御するための制御データとを、デジタル画像出力端子を介してＴＶ受信装置に出力する画像出力部と、を備え、画像出力部は、本情報処理装置の動作状態に基づいて制御データを生成しＴＶ受信装置に出力する、ことを特徴とする。【選択図】  図２
2009010629.tif 000002
【特許請求の範囲】
【請求項１】
画像データと制御データとを伝送可能なデジタル画像インターフェースを介してＴＶ受信装置と接続される情報処理装置において、
ディスプレイ装置と、
前記デジタル画像インターフェースに対応するデジタル画像出力端子を含む複数の画像出力端子と、
前記複数の画像出力端子の中から、前記ＴＶ受信装置に対して出力する画像出力端子を選択する画像出力選択部と、
前記ディスプレイ装置に表示される画像の画像データと前記ＴＶ受信装置を制御するための制御データとを、前記デジタル画像出力端子を介して前記ＴＶ受信装置に出力する画像出力部と、
を備え、
前記画像出力部は、
本情報処理装置の動作状態に基づいて前記制御データを生成し前記ＴＶ受信装置に出力する、
ことを特徴とする情報処理装置。
【請求項２】
前記ＴＶ受信装置は複数の画像入力端子を有しており、
前記画像出力部は、
前記画像出力選択部によって前記デジタル画像出力端子が選択されたとき、前記デジタル画像インターフェースに対応する画像入力端子を選択するための制御データを前記ＴＶ受信装置に出力する、
ことを特徴とする請求項１に記載の情報処理装置。
【請求項３】
前記画像出力部は、
前記画像出力選択部によって前記デジタル画像出力端子が選択されたとき、前記ＴＶ受信装置の電源がオフの場合にはその電源をオンとするための制御データを前記ＴＶ受信装置に出力する、
ことを特徴とする請求項１に記載の情報処理装置。
【請求項４】
前記ＴＶ受信装置は、放送映像に適した画質と表示範囲とを実現する放送モードと、情報処理画像に適した画質と表示範囲とを実現するＰＣモードとを有しており、
前記画像出力部は、
前記ディスプレイ装置に前記情報処理画像が表示されている場合において、前記画像出力選択部によって前記デジタル画像出力端子が選択されたとき、前記放送モードから前記ＰＣモードに切換えるための制御データを前記ＴＶ受信装置に出力する、
ことを特徴とする請求項１に記載の情報処理装置。
【請求項５】
前記ＴＶ受信装置は、放送映像に適した画質と表示範囲とを実現する放送モードと、情報処理画像に適した画質と表示範囲とを実現するＰＣモードとを有しており、
前記画像出力部は、
前記画像出力選択部によって前記デジタル画像出力端子が選択されたとき、前記ディスプレイ装置の全画面に動画像が表示されている場合には前記放送モードに設定し、前記ディスプレイ装置の一部のウィンドウ画面に前記動画像が表示されている場合には前記ＰＣモードに設定するための制御データを前記ＴＶ受信装置に出力する、
ことを特徴とする請求項１に記載の情報処理装置。
【請求項６】
前記ＴＶ受信装置及び本情報処理装置は、動画像を表示するための複数の画質モードを夫々有しており、
前記画像出力部は、
前記画像出力選択部によって前記デジタル画像出力端子が選択されたとき、前記ディスプレイ装置に表示される画像の画質モードに対応する画質モードを選択するための制御データを前記ＴＶ受信装置に出力する、
ことを特徴とする請求項１に記載の情報処理装置。
【請求項７】
情報処理装置によるＴＶ受信装置の制御方法おいて、
前記情報処理装置が具備するディスプレイ装置に画像を表示し、
画像データと制御データとを伝送可能なデジタル画像インターフェースに対応するデジタル画像出力端子を含む複数の画像出力端子の中から、前記ＴＶ受信装置に対して出力する画像出力端子を選択し、
前記情報処理装置の動作状態に基づいて前記制御データを生成し、
前記ディスプレイ装置に表示されている画像の画像データと前記ＴＶ受信装置を制御するための制御データとを、前記デジタル画像出力端子を介して前記ＴＶ受信装置に出力する
ことを特徴とする情報処理装置によるＴＶ受信装置の制御方法。
【請求項８】
前記ＴＶ受信装置は複数の画像入力端子を有しており、
前記デジタル画像出力端子が選択されたとき、前記デジタル画像インターフェースに対応する画像入力端子を選択するための制御データを前記ＴＶ受信装置に出力する、
ことを特徴とする請求項７に記載の情報処理装置によるＴＶ受信装置の制御方法。
【請求項９】
前記デジタル画像出力端子が選択されたとき、前記ＴＶ受信装置の電源がオフの場合にはその電源をオンとするための制御データを前記ＴＶ受信装置に出力する、
ことを特徴とする請求項７に記載の情報処理装置によるＴＶ受信装置の制御方法。
【請求項１０】
前記ＴＶ受信装置は、放送映像に適した画質と表示範囲とを実現する放送モードと、情報処理画像に適した画質と表示範囲とを実現するＰＣモードとを有しており、
前記ディスプレイ装置に前記情報処理画像が表示されている場合において、前記デジタル画像出力端子が選択されたとき、前記放送モードから前記ＰＣモードに切換えるための制御データを前記ＴＶ受信装置に出力する、
ことを特徴とする請求項７に記載の情報処理装置によるＴＶ受信装置の制御方法。
【請求項１１】
前記ＴＶ受信装置は、放送映像に適した画質と表示範囲とを実現する放送モードと、情報処理画像に適した画質と表示範囲とを実現するＰＣモードとを有しており、
前記デジタル画像出力端子が選択されたとき、前記ディスプレイ装置の全画面に動画像が表示されている場合には前記放送モードに設定し、前記ディスプレイ装置の一部のウィンドウ画面に前記動画像が表示されている場合には前記ＰＣモードに設定するための制御データを前記ＴＶ受信装置に出力する、
ことを特徴とする請求項７に記載の情報処理装置によるＴＶ受信装置の制御方法。
【請求項１２】
前記ＴＶ受信装置及び前記情報処理装置は、動画像を表示するための複数の画質モードを夫々有しており、
前記デジタル画像出力端子が選択されたとき、前記ディスプレイ装置に表示されている画像の画質モードに対応する画質モードを選択するための制御データを前記ＴＶ受信装置に出力する、
ことを特徴とする請求項７に記載の情報処理装置によるＴＶ受信装置の制御方法。
【発明の詳細な説明】
【技術分野】
【０００１】
本発明は、情報処理装置及び情報処理装置によるＴＶ受信装置制御方法に係り、特に、ＴＶ受信装置に接続して画像をＴＶ受信装置に表示する情報処理装置、及び情報処理装置とＴＶ受信装置とを接続してＴＶ受信装置の画質等を制御する情報処理装置によるＴＶ受信装置制御方法に関する。
【背景技術】
【０００２】
今日、パーソナルコンピュータ等の多くの情報処理装置では、ＤＶＤ等の記録媒体を再生し、映画等の映像を情報処理装置の表示画面で視聴することが可能である。また、これらの情報処理装置では映像音声データ用の外部接続端子を有しており、ＴＶ受信装置等が具備する外部の大型のディスプレイ装置に表示させることも可能である。
【０００３】
ユーザがディスプレイ装置に表示される映像を視聴する場合、自らの好みよって画質を調整することがしばしば行われる。例えば、ＴＶ受信装置には、明るさ、コントラスト、色合い、色の濃さ、解像度等の画質を調整するためのつまみ等の操作部が設けられており、ユーザは操作部を操作して自分の好みに合った画質調整を行う。また、所謂リモコン装置によっても画質調整を行うことができるようになっている。
【０００４】
しかしながら、一般にＴＶ受信装置の画質調整はかなり煩雑である。画質調整用のつまみは複数の場所に分散して配置されている場合が多く、また、リモコン装置で画質調整を行う場合にはメニュー画面等を用いた複数回の操作を伴う。
【０００５】
特許文献１には、情報処理装置とＴＶ受信装置とを接続した際に、画質調整に伴う上記の煩雑さを低減するための技術が開示されている。具体的には、情報処理装置の表示画面で、明るさ、コントラスト、色合い、色の濃さ、解像度等の画質を予め調整する。そして、この画質調整によって設定された夫々の画質調整パラメータをＩＥＥＥ１３９４規格のシリアル通信バスを介してＴＶ受信装置に送信し、夫々の画質調整パラメータをＴＶ受信装置内のメモリに保存する、というものである。
【特許文献１】特開２０００−１３８８７０号公報
【発明の開示】
【発明が解決しようとする課題】
【０００６】
ところで、近時、地上波デジタル放送や衛星デジタル放送等の高品質映像を受信し、大型のディスプレイ装置に高解像度で表示することができるデジタルＴＶ受信装置が広く普及しつつある。
【０００７】
この種のデジタルＴＶ受信装置は、従来のアナログ型のＴＶ受信装置に比べると格段に多機能化が図られている。単に映像を受信、表示するだけでなく、インターネットやパーソナルコンピュータ等の情報処理装置に接続することにより、大型のディスプレイ装置を備えた情報機器としての各種の機能を実現している。
【０００８】
画質調整の観点からも高度化、多機能化が進んできており、例えば、部屋の明るさや照明の種類に応じて適切な画質モードを選択できるような機能が付加されてきている。
【０００９】
また、外部から入力可能な映像端子の種類も多様化してきている。例えば、最も古くからあるコンポジット端子（通常、ピン端子と呼ばれる）に加えて、セパレート端子（通常、Ｓ端子と呼ばれる）、３本のケーブルで接続されるコンポーネント端子、Ｄ端子等のアナログ映像信号用の端子の他、デジタル映像信号に対応するＨＤＭＩ（High  Definition  Multimedia  Interface）端子を具備するデジタルＴＶ受信装置も普及してきている。
【００１０】
このような中、パーソナルコンピュータ等の情報処理装置とデジタルＴＶ受信装置とを接続し、情報処理装置の画像を情報処理装置のディスプレイ装置（以下、ＰＣディスプレイという）ではなく、デジタルＴＶ受信装置のディスプレイ装置（以下、ＴＶディスプレイという）に表示させたり、ＰＣディスプレイとＴＶディスプレイの双方に表示させたりする利用形態が増加してきている。
【００１１】
このような利用形態（以下、ＰＣ−ＴＶ連接形態という場合がある）では、ユーザの操作対象は主に情報処理装置であり、デジタルＴＶ受信装置はあくまで情報処理装置の画像をモニタするのが主な目的である。従って、デジタルＴＶ受信装置に対する操作は可能な限り少ない方が好ましい。
【００１２】
しかしながら、現状は、デジタルＴＶ受信装置が具備する機能はあくまでデジタルＴＶ受信装置に対して設定、調整する構成となっている。つまり、情報処理装置が生成した画像をＴＶディスプレイに表示させる場合、ＴＶディスプレイの画質調整はデジタルＴＶ受信装置のリモコン装置等を用いて行う必要がある。また、デジタルＴＶ受信装置が具備する複数の映像端子の中から現在情報処理装置と接続されている映像端子を選択する操作もデジタルＴＶ受信装置に対して独立して行う必要がある。
【００１３】
このように、デジタルＴＶ受信装置や情報処理装置の単独の機能や性能は高度化されているものの、ＰＣ−ＴＶ連接形態での機能の最適化や操作性に関しては、更なる改善の余地がある。
【００１４】
本発明は、上記事情に鑑みてなされたものであり、情報処理装置とＴＶ受信装置を連接して情報処理装置の画像をＴＶ受信装置に表示させる利用形態において、ＴＶ受信装置に対する操作負担を低減すると共に、情報処理装置と連携した良好な画質の画像をＴＶ受信装置に表示させることができる情報処理装置、及び情報処理装置によるＴＶ受信装置制御方法を提供することを目的とする。
【課題を解決するための手段】
【００１５】
上記課題を解決するため、本発明に係る情報処理装置は、請求項１に記載したように、画像データと制御データとを伝送可能なデジタル画像インターフェースを介してＴＶ受信装置と接続される情報処理装置において、ディスプレイ装置と、前記デジタル画像インターフェースに対応するデジタル画像出力端子を含む複数の画像出力端子と、前記複数の画像出力端子の中から、前記ＴＶ受信装置に対して出力する画像出力端子を選択する画像出力選択部と、前記ディスプレイ装置に表示される画像の画像データと前記ＴＶ受信装置を制御するための制御データとを、前記デジタル画像出力端子を介して前記ＴＶ受信装置に出力する画像出力部と、を備え、前記画像出力部は、本情報処理装置の動作状態に基づいて前記制御データを生成し前記ＴＶ受信装置に出力する、ことを特徴とする。
【００１６】
また、上記課題を解決するため、本発明に係る情報処理装置によるＴＶ受信装置の制御方法は、請求項７に記載したように、情報処理装置によるＴＶ受信装置の制御方法おいて、前記情報処理装置が具備するディスプレイ装置に画像を表示し、画像データと制御データとを伝送可能なデジタル画像インターフェースに対応するデジタル画像出力端子を含む複数の画像出力端子の中から、前記ＴＶ受信装置に対して出力する画像出力端子を選択し、前記情報処理装置の動作状態に基づいて前記制御データを生成し、前記ディスプレイ装置に表示されている画像の画像データと前記ＴＶ受信装置を制御するための制御データとを、前記デジタル画像出力端子を介して前記ＴＶ受信装置に出力することを特徴とする。
【発明の効果】
【００１７】
本発明に係る情報処理装置、及び情報処理装置によるＴＶ受信装置制御方法によれば、情報処理装置とＴＶ受信装置を連接して情報処理装置の画像をＴＶ受信装置に表示させる利用形態において、ＴＶ受信装置に対する操作負担を低減すると共に、情報処理装置と連携した良好な画質の画像をＴＶ受信装置に表示させることができる。
【発明を実施するための最良の形態】
【００１８】
本発明に係る情報処理装置、及び情報処理装置によるＴＶ受信装置制御方法の実施形態について、添付図面を参照して説明する。
【００１９】
（１）情報処理装置及びＴＶ受信装置の構成、及び基本動作
図１は、本発明の一実施形態に係る情報処理装置１と、情報処理装置１に接続されるＴＶ受信装置２とを例示する図である。情報処理装置１は、例えばパーソナルコンピュータであり、本体１０と表示部１２とが開閉自在に設けられている。本体１０は、薄型箱状の筐体上部にキーボードやポインティングデバイス等で構成される操作部１１を有している。また、表示部１２は液晶パネル等で構成されるディスプレイ装置１２ａを有している。
【００２０】
ＴＶ受信装置２は、例えばデジタル対応型の薄型ＴＶ受信装置であり、大型のディスプレイ装置２１を有している。
【００２１】
情報処理装置１とＴＶ受信装置２との間は、例えば、ＨＤＭＩ  ＣＥＣインターフェース（デジタル画像インターフェース）に対応するケーブルユニット３によって接続されている。
【００２２】
ここで、ＨＤＭＩ  ＣＥＣインターフェースとは、ＨＤＭＩ（High  Definition  Multimedia  Interface  ）規格と、そのサブ規格であるＣＥＣ（Consumer  Electronics  Control）規格とを組み合わせた規格に基づくインターフェースのことである。ＨＤＭＩ規格は、高品位のデジタル画像データとデジタル音声データとを伝送するために設けられた規格である。一方、ＣＥＣ規格は、ＨＤＭＩ規格で接続された装置間の制御データの種類やプロトコルを規定する規格である。ＨＤＭＩ  ＣＥＣインターフェースによって、高品位のデジタル画像データとデジタル音声データとを伝送するだけでなく、一方の装置から他方の装置を制御することも可能となる。
【００２３】
ＨＤＭＩ  ＣＥＣインターフェースによる装置間の制御は、ＣＥＣ規格に基づく制御データ（或いは制御コマンド）によって行われるが、制御データには、既に規定されている制御データの他に、自由に定義できる拡張制御データを付加することが可能である。
【００２４】
本実施形態に係る情報処理装置１で利用する画像データと制御データとを伝送可能なデジタル画像インターフェースとしては、上記のＨＤＭＩ  ＣＥＣインターフェースに必ずしも限定するものではないが、少なくとも上記のＣＥＣ規格に基づく拡張制御データ（或いは拡張制御コマンド）を用いることによって情報処理装置１からＴＶ受信装置２に対する種々の制御を実現することができる。以下の説明では、ＨＤＭＩ  ＣＥＣインターフェースを用いてＴＶ受信装置２を制御するものとして説明する。
【００２５】
図２は、情報処理装置１の細部構成例と、情報処理装置１に接続されるＴＶ受信装置２の細部構成例を示すブロック図である。
【００２６】
最初に情報処理装置１の構成と基本動作について説明する。
【００２７】
情報処理装置１は、図１に例示したように、例えばノート型パーソナルコンピュータであり、操作部１１、ディスプレイ装置１２ａ、情報処理部１３、画像処理部１４、ＤＶＤドライブ１５、画像出力部１６、画像出力選択部１７、複数の画像出力端子１８ａ、１８ｂ、１８ｃ、１８ｄ等を備えて構成されている。
【００２８】
操作部１１は、キーボード等の情報入力デバイスやタッチパッド、マウス等のポインティングデバイスを備えて構成されており、情報処理装置１に対して各種の操作や情報の入力を行う。
【００２９】
ディスプレイ装置１２ａは、液晶パネル等から構成される表示デバイスであり、文書、表、図形、写真等の各種の情報処理画像を表示する他、ＤＶＤドライブ１５で再生する動画像等を表示する。
【００３０】
情報処理部１３は、図示しないＣＰＵ等によって、ＯＳや各種のアプリケーションソフトウェアを実行することにより、種々の情報処理を行う。
【００３１】
画像処理部１４は、情報処理部１３から出力されるデータに基づいて各種の情報処理画像を生成しディスプレイ装置１２ａに表示させるための画像処理を行っている。また、ＤＶＤドライブ１５から出力される動画像等に対する各種の画像処理も行っている。
【００３２】
ＤＶＤドライブ１５は、ＣＤやＤＶＤ等の光ディスクを再生し、或いは記録・再生する装置である。
【００３３】
画像出力部１６は、画像処理部１４にて画像処理された画像データを、ディスプレイ装置１２ａや外部へ出力するための変換処理を行っている。例えば、ディスプレイ装置１２ａや各画像出力端子の解像度に適合させるための解像度変換処理や、アナログの画像出力端子に出力するためのアナログ変換処理等を行っている。
【００３４】
また、本実施形態に係る情報処理装置１の特徴である、ＨＤＭＩ  ＣＥＣインターフェース（デジタル画像インターフェース）への制御データの付加処理もこの画像出力部１６で行っている。制御データの付加処理については、後述する。
【００３５】
画像出力選択部１７では、画像データの出力先を選択する。通常は、情報処理装置１の内部のディスプレイ装置１２ａを画像データの出力先として選択することが多いが、操作部１１の操作によって情報処理装置１の外部に画像データを出力することが可能である。このとき、ディスプレイ装置１２ａに画像データを出力しながら外部に同じ画像データを出力することも可能であるし、ディスプレイ装置１２ａへの画像データ出力を停止して、外部にだけ画像データを出力するように選択することも可能である。
【００３６】
また、前述したように、画像データを外部へ出力するための画像出力端子の形態は今日多様化してきており、例えば図２に示したように、アナログ画像データを出力するコンポジット端子１８ａ、Ｓ端子１８ｂ、Ｄ端子１８ｃ等の他、デジタル画像データを出力するＨＤＭＩ端子１８ｄ等の複数の画像出力端子を具備する情報処理装置１が多い。これらの画像出力端子の選択も画像出力選択部１７で行っている。
【００３７】
図３は、画像データの出力先の選択方法の一例を示す図である。例えば、キーボードのＦｎキーとＦ５キーを同時に押下することによって、図３（ａ）から図３（ｅ）に示した複数のアイコン画像がディスプレイ装置１２ａに表示され、現在の画像データの出力状態がハイライトされて表示される。図３の例示では、画像データの出力先として、情報処理装置１内部のディスプレイ装置１２ａ、外部のＣＲＴモニタ、及び外部のＴＶ受信装置２の３つがあり、これらを単独又は組み合わせて選択できるようになっている。
【００３８】
図３（ａ）はディスプレイ装置１２ａ単独、図３（ｂ）はディスプレイ装置１２ａとＣＲＴモニタの双方、図３（ｃ）はＣＲＴモニタ単独、図３（ｄ）はディスプレイ装置１２ａとＴＶ受信装置２の双方、図３（ｅ）はディスプレイ装置１２ａ単独、が夫々画像データの出力先となっている。Ｆｎキーを押しながらＦ５キーを押下していくと、ハイライトされるアイコンが順次移動し、所望の出力先を選択することができる。
【００３９】
このとき、画像データの出力先と画像出力端子とを予め対応付けておくことにより、画像出力端子を選択することができる。例えば、ＣＲＴモニタに対してはアナログ画像出力であるＤ端子１８ｃを対応付けておき、ＴＶ受信装置２に対してはデジタル画像出力であるＨＤＭＩ端子１８ｄを対応付けておく。このような対応付けにより、例えば図３（ｄ）のアイコン又は図３（ｅ）のアイコンをユーザが選択した場合、複数の画像出力端子の中から、ＨＤＭＩ端子１８ｄが選択されることになる。
【００４０】
次に、ＴＶ受信装置２の構成と基本動作について説明する。
【００４１】
ＴＶ受信装置２は、ディスプレイ装置２１、放送受信部２２、画像処理部２３、画像入力選択部２４、電源部２５、複数の画像入力端子２６ａ、２６ｂ、２６ｃ、２６ｄ等を備えて構成されている。
【００４２】
ＴＶ受信装置２は、例えば、地上波デジタル放送や衛星デジタル放送を受信可能なデジタルＴＶ受信装置であり、放送受信部２２で受信した放送映像を画像処理部２３で画像処理した後、大型の液晶ディスプレイ装置２１に表示する。
【００４３】
また、ＴＶ受信装置２は、複数の画像入力端子として、アナログ画像データを入力するコンポジット端子２６ａ、Ｓ端子２６ｂ、Ｄ端子２６ｃ等の他、デジタル画像データを入力するＨＤＭＩ端子２６ｄ等を有している。これらの画像入力端子には、ＡＶ機器や情報処理装置１が接続されている。例えば、図２に示したように、Ｓ端子２６ｂにはビデオプレーヤ４が、Ｄ端子２６ｃにはＤＶＤプレーヤが、またＨＤＭＩ端子２６ｄには情報処理装置１が接続されている。画像入力選択部２４によってこれら複数の画像入力端子の中から１つの画像入力端子が選択され、選択された画像入力端子から入力される画像がディスプレイ装置２１に表示される。
【００４４】
（２）情報処理装置によるＴＶ受信装置の制御方法
上記のように構成された情報処理装置１及びＴＶ受信装置２において、デジタル画像インターフェース、具体的には、ＨＤＭＩ  ＣＥＣインターフェースを介して情報処理装置１からＴＶ受信装置２を制御する方法について説明する。
【００４５】
図４は、第１の実施形態に係るＴＶ受信装置の制御方法を示す図である。前述したように、ＨＤＭＩ  ＣＥＣインターフェースでは、デジタル画像データと制御データとが伝送可能である。例えば図３（ｄ）又は図３（ｅ）に示したアイコンによって、画像データの出力先としてＴＶ受信装置２が選択されると、画像出力端子として自動的にＨＤＭＩ（出力）端子１８ｄが選択され、ＨＤＭＩ（出力）端子１８ｄからデジタル画像データと制御データとがＴＶ受信装置２に対して出力される。
【００４６】
一方、ＴＶ受信装置２では、ＨＤＭＩ（入力）端子２６ｄから入力される信号を常時モニタするように構成されている。情報処理装置１側でＨＤＭＩ（出力）端子１８ｄが選択されていないときにはＨＤＭＩ（入力）端子２６ｄからは何も入力されてこないが、情報処理装置１側でＨＤＭＩ（出力）端子１８ｄが選択されると、その時点からＨＤＭＩ（入力）端子２６ｄからデジタル画像データと制御データとが入力され始める。ＴＶ受信装置２ではこの信号の有無を検出し、画像入力選択部２４に対して、ＨＤＭＩ（入力）端子２６ｄを選択するように指示する。この結果、ＨＤＭＩ（入力）端子２６から入力される画像データは自動的にＴＶ受信装置２のディスプレイ装置２１に表示される。
【００４７】
また、ＴＶ受信装置２の電源がオフとなっている場合には、ＨＤＭＩ（入力）端子２６ｄからデジタル画像データと制御データとが入力され始めたことを検出し、その検出信号をトリガとしてＴＶ受信装置２の電源をオンとするようにしてもよい。
【００４８】
なお、ＨＤＭＩ（入力）端子２６ｄから入力される信号の有無を検出する方法に換えて、ＨＤＭＩ（出力）端子１８ｄが選択されたことを示す情報をＨＤＭＩ  ＣＥＣインターフェースの拡張制御データとして含ませる方法としても良い。この場合、ＴＶ受信装置２では、情報処理装置１から出力される拡張制御データをモニタし、そのデータがＨＤＭＩ（出力）端子１８ｄが選択された旨を示している場合には、画像入力選択部２４に対して、ＨＤＭＩ（入力）端子２６ｄを選択するように指示し、或いは電源部２５に対してＴＶ受信装置２の電源をオンとするように指示する。
【００４９】
第１の実施形態に係るＴＶ受信装置の制御方法によれば、情報処理装置１とＴＶ受信装置２がＨＤＭＩ  ＣＥＣインターフェースによって接続されている状態において、情報処理装置１側で画像データの出力先としてＴＶ受信装置２を選択する操作だけで、ＴＶ受信装置２に情報処理装置１の画像を表示させることができる。
【００５０】
従来は、ＴＶ受信装置２の電源がオフとなっている場合には、ユーザが別途ＴＶ受信装置２のリモコン装置を操作して電源をオンとする必要があったが本実施形態ではこの操作が不要となる。また、ＴＶ受信装置２がオンの状態であっても、放送映像や他のＡＶ機器の画像を視聴している場合には、別途リモコン装置で画像入力端子をＨＤＭＩ（入力）端子２６ｄに切換える必要があり操作が煩雑であったが、これらの操作も不要となる。
【００５１】
このように、第１の実施形態に係るＴＶ受信装置の制御方法によれば、ＴＶ受信装置に対する操作が一切不要となり、情報処理装置１の画像を簡単かつ迅速にＴＶ受信装置２のディスプレイ装置２１に表示させることができる。
【００５２】
この他、情報処理装置１の画像をＴＶ受信装置２に表示させた後、リモコン装置によって放送番組を一時的に視聴し、再度情報処理装置１の画像をＴＶ受信装置２に表示させる場合がある。パソコン（情報処理装置１）を操作しながらテレビ（ＴＶ受信装置２）を見るという、いわゆる「ながら見」の利用形態である。このような利用形態においても、放送番組の視聴からパソコン画面への切り換えを、上述した情報処理装置１に対するＨＤＭＩ端子１８ｄ端子の選択操作（例えば、ＦｎキーとＦ５キーの押下）によって行うことができる。ＨＤＭＩ（入力）端子１８ｄ端子の選択操作に基づいて制御データを生成し、これをＴＶ受信装置２に出力することにより、ＴＶ受信装置２側では、画像データの入力先を放送受信部２２からＨＤＭＩ（出力）端子２６ｄに自動的に切換えればよい。
【００５３】
図５は、第２の実施形態に係るＴＶ受信装置の制御方法を説明する図である。近時のＴＶ受信装置２では、コンピュータ等のグラフィックス画像を主体とする情報処理画像の表示に最適化された表示モードと、映画やテレビ放送等の動画像の表示に最適化された表示モードとを具備する形態のものがある。情報処理画像の表示に最適化された表示モードを以下便宜上「ＰＣモード」と呼び、映画やテレビ放送等の動画像の表示に最適化された表示モードを「放送モード」呼ぶ。
【００５４】
一般に、放送映像の表示に最適化された従来のＴＶ受信装置のディスプレイ装置にコンピュータ等で作成した情報処理画像を表示すると、情報処理装置１のディスプレイ装置１２ａに比べて、（ａ）色が濃すぎる（ガンマ値の差異に起因する）、（ｂ）細かい文字やウィンドウ枠にざらつき感がある（シャープネス処理等の動画像用の画質設定に起因する）、（ｃ）上下左右の端の一部画像が表示されない（テレビ放送画像のオーバスキャンに起因する）、（ｄ）黒が浮いて見え、逆に白が暗く見える（輝度値の有効範囲の差異に起因する）等の表示上の不自然さや違和感が生じることが指摘されている。
【００５５】
そこで、これらの不自然さや違和感を解消すべく、情報処理画像の表示に最適化された「ＰＣモード」と、映画やテレビ放送等の動画像の表示に最適化された「放送モード」とを具備し、ユーザによって適宜切換えられるように構成されたＴＶ受信装置２が出現しつつある。この場合、例えば、ＴＶ受信装置２のリモコン装置を使用して、メニュー画面を見ながら「選択」、「決定」等の操作によって「ＰＣモード」と「放送モード」とを切換えることになる。
【００５６】
しかしながら、パーソナルコンピュータの表示画面と放送画面とを頻繁に切換えるようなユーザにとっては、この切り換え操作は非常に煩雑である。第２の実施形態に係るＴＶ受信装置の制御方法によれば、この操作上の煩雑さを解消することができる。
【００５７】
即ち、図５に示したように、ＨＤＭＩ  ＣＥＣインターフェースの制御データの中に、情報処理装置１の表示画面の状態を含ませておく。例えば、情報処理装置１が動画像再生用のアプリケーションソフトウェアを動作させていないときは、情報処理画像を表示させていると判断し、制御データにその旨の情報（「ＰＣモード」）を含ませる。
【００５８】
ＴＶ受信装置２では、この制御データを検出し、その時の表示モードが「放送モード」の場合には、「放送モード」から「ＰＣモード」に自動的に切換える。
【００５９】
第２の実施形態に係るＴＶ受信装置の制御方法によれば、ユーザが情報処理装置１に情報処理画像（ＤＶＤ再生等による動画像ではなく、通常のパソコンのデスクトップ画画像）を表示させていれば、自動的にＴＶ受信装置２の表示モードを情報処理画像に最適化された「ＰＣモード」に設定するため、操作上の煩雑さがなく、また、情報処理装置１と同じ違和感のない品質の画像をＴＶ受信装置２に表示させることができる。
【００６０】
他方、図６乃至図８は、情報処理装置１のディスプレイ装置１２ａに、上記の情報処理画像ではなく、動画像を表示させている場合におけるＴＶ受信装置２の制御方法の実施形態について示す図である。動画像表示は、例えばＤＶＤドライブ１５にて映画等のＤＶＤを再生し、これを動画像表示用のアプリケーションソフトウェアで表示させることによって行われる。
【００６１】
図６は、動画像を「全画面表示モード」で再生している場合におけるＴＶ受信装置２の制御方法（第３の実施形態）を示す図である。一般に、動画像を「全画面表示モード」で再生している場合、ユーザは動画像再生に最適化された高品質の画像を期待している。そこで、ＨＤＭＩ  ＣＥＣインターフェースの制御データの中に、「全画面表示モード」で再生中である旨の制御データを含ませておく。ＴＶ受信装置２ではこの制御データを受信すると、表示モードを自動的に「放送モード」に設定するようにする。この結果、ＴＶ受信装置２に対して何ら操作することなく、ＴＶ受信装置２の大画面を用いて動画像に最適化された高品質の画像を楽しむことができる。
【００６２】
一方、図７は、動画像を「ウィンドウ表示モード」で再生している場合におけるＴＶ受信装置２の制御方法（第４の実施形態）を示す図である。「ウィンドウ表示モード」は、部分的なウィンドウ内の領域に表示される動画像と、その他の領域に表示される情報処理画像とが組み合わされた表示である。ユーザが情報処理装置１を「ウィンドウ表示モード」に設定する場合は、動画像表示をある程度犠牲にして情報処理画像の方を重視していると考えることができる。そこで、ＨＤＭＩ  ＣＥＣインターフェースの中に、「ウィンドウ表示モード」で再生中である旨の制御データが含まれている場合には、ＴＶ受信装置２では、自動的に「ＰＣモード」に設定するようにする。
【００６３】
図８は、情報処理装置１やＴＶ受信装置２が、複数の画質モードを保有している場合における、ＴＶ受信装置２の制御方法（第５の実施形態）を説明する図である。
【００６４】
ここで、画質モードとは、輝度、コントラスト、ガンマ値といった画像パラメータを独立に調整するのではなく、周囲の環境等に最適化した画質パラメータの組み合わせを提供するモードのことである。例えば、「ノーマルモード」は、蛍光灯の環境下で視聴されることを想定した画質モードであり、「あざやかモード」は、昼間の開放的なリビングルームの環境を想定した画質モード、「映画モード」は、白熱灯を用いたリビングルーム環境を想定した画質モードである。
【００６５】
図８に示した実施形態では、情報処理装置１で選択した画質モードに対応する画質モードがＴＶ受信装置２でも選択されるようにＴＶ受信装置２が制御される。例えば、情報処理装置１で「あざやかモード」を選択した場合、「あざやかモード」を示す画質モード情報がＨＤＭＩ  ＣＥＣインターフェースの制御データとしてＴＶ受信装置２に送信される。ＴＶ受信装置２ではこの制御データを受信して、ＴＶ受信装置２内の画質モードを自動的に「あざやかモード」に設定する。この結果、情報処理装置１で視聴している画面の画質状態と同じ品質の画質が、ＴＶ受信装置２に対して何ら操作することなくＴＶ受信装置２の大画面に表示される。
【００６６】
以上説明してきたように、本実施形態に係る情報処理装置１、及び情報処理装置によるＴＶ受信装置制御方法によれば、情報処理装置１とＴＶ受信装置２を連接して情報処理装置１の画像をＴＶ受信装置２に表示させる利用形態において、ＴＶ受信装置２に対する操作負担を低減すると共に、情報処理装置１と連携した良好な画質の画像をＴＶ受信装置２に表示させることができる。
【００６７】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の実施形態の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００６８】
【図１】本発明の実施形態に係る情報処理装置と、これに連接して制御されるＴＶ受信装置の利用形態の一例を示す図。
【図２】本発明の実施形態に係る情報処理装置、及び情報処理装置に連接して制御されるＴＶ受信装置の構成例を示すブロック図。
【図３】情報処理装置の画像出力端子の選択方法の一例を示す図。
【図４】第１の実施形態に係るＴＶ受信装置の制御方法の説明図。
【図５】第２の実施形態に係るＴＶ受信装置の制御方法の説明図。
【図６】第３の実施形態に係るＴＶ受信装置の制御方法の説明図。
【図７】第４の実施形態に係るＴＶ受信装置の制御方法の説明図。
【図８】第５の実施形態に係るＴＶ受信装置の制御方法の説明図。
【符号の説明】
【００６９】
１  情報処理装置
２  ＴＶ受信装置
１１  操作部
１２ａ  ディスプレイ装置（情報処理装置側）
１６  画像出力部
１７  画像出力選択部
１８ａ、１８ｂ、１８ｃ、１８ｄ  画像出力端子
２１  ディスプレイ装置（ＴＶ受信装置）
２２  放送受信部
２４  画像入力選択部
２６ａ、２６ｂ、２６ｃ、２６ｄ  画像入力端子
【図１】
2009010629.tif 000003
【図２】
2009010629.tif 000004
【図３】
2009010629.tif 000005
【図４】
2009010629.tif 000006
【図５】
2009010629.tif 000007
【図６】
2009010629.tif 000008
【図７】
2009010629.tif 000009
【図８】
2009010629.tif 000010